(57)【要約】【課題】コネクタ接続を含むドッキングを迅速かつ容易に行うことができるドッキングシステムを提供すること。【解決手段】ベースユニット１００の一面上の、シャッタ１１１、１１２とは異なるエリアに複数の突起１３１ａ、１３１ｂ、１３１ｃ、１３１ｄが設けられている。また、キャリア２００上に複数の突起１３１ａ、１３１ｂ、１３１ｃ、１３１ｄに嵌合する複数の嵌合穴が設けられている。さらに、シャッタ１１１、１１２から近い突起１３１ａ、１３１ｂ及び嵌合穴よりも、シャッタ１１１、１１２から遠い突起１３１ｃ、１３１ｄ及び嵌合穴のほうが嵌合しやすい形状とされている。【選択図】図１
2014161684.tif 000002
【特許請求の範囲】
【請求項１】
一面に、コネクタと、このコネクタを覆うシャッタとが、設けられたベースユニットと、
前記ベースユニットにドッキングされ、ドッキング時に前記一面に対向する対向面に、前記ベースユニットの前記コネクタに挿入されるコネクタが設けられたドッキングユニットと、
を有する、ドッキングシステムであって、
前記ベースユニットの前記一面上の、前記シャッタとは異なるエリアに配設された複数の突起と、
前記ドッキングユニットの前記対向面に配設され、前記複数の突起に嵌合する複数の嵌合穴と、
を具備し、
前記複数の突起と前記複数の嵌合穴は、前記シャッタから離れたものほど嵌合しやすい形状とされている、
ドッキングシステム。
【請求項２】
前記複数の嵌合穴は、前記シャッタから離れたものほど、前記嵌合穴の入口が前記突起の先端部に対して大きく形成されている、
請求項１に記載のドッキングシステム。
【請求項３】
前記シャッタ及び前記複数の突起の高さは、前記シャッタ及び前記複数の突起の全てが同一平面に当接する高さとされている、
請求項１又は請求項２に記載のドッキングシステム。
【請求項４】
前記ベースユニットにおける、前記複数の突起に囲まれた位置に形成された凹部と、
前記ドッキングユニットにおける、前記凹部に対向する位置に形成された凸部と、
を、さらに有し、
前記複数の突起の間隔は、前記凸部が前記凹部からずれている場合に、前記凸部が前記複数の突起の間に入り込まない間隔とされている、
請求項１から請求項３のいずれか一項に記載のドッキングシステム。
【発明の詳細な説明】
【技術分野】
【０００１】
本発明は、例えば医療用ポータブルモニタシステムにおけるドッキングシステムに関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移動と一緒に行う必要がある。そこで、ポータブルディスプレイ、データ記憶装置、及び、各種医療機器との通信が可能なインターフェースなどを備えた小型の医療用ポータブルモニタシステム（例えば特許文献１、２参照）が広く用いられている。
【０００３】
このようなポータブルモニタシステムを用いれば、移送中の患者の生体情報も途切れなく記録したり表示したりすることができる。
【０００４】
また、医療用ポータブルモニタシステムにおいては、システムを構成する各装置がドッキング及び取り外し可能に構成されており、これにより、状況に応じて、必要な装置のみを持ち運ぶことができるようになっている。
【先行技術文献】
【特許文献】
【０００５】
【特許文献１】特表平８−５０４３４５号公報
【特許文献２】特表平８−５０４５３１号公報
【発明の概要】
【発明が解決しようとする課題】
【０００６】
ここで、医療用ポータブルモニタシステムにおいては、システムをどのような装置（ユニット）単位に分割して構成するかや、各装置をどのようにドッキングさせるかには、種々の形態が考えられる。
【０００７】
これら多くの形態の中で、ケーブル型のコネクタを用いるのではなく、装置本体に固定されたコネクタ（以下、これを本体一体型コネクタと呼ぶ）を用いて、装置同士のドッキングと同時にコネクタ接続も行うことができる構成を採用すれば、別途ケーブルコネクタを持ち運ぶ必要がないといった利点や、コネクタ接続の手間を低減できるといった利点がある。特に、医療用ポータブルモニタシステムは、緊急時に用いられることも多いので、このような利点が大きく生かされる。つまり、医療用ポータブルモニタシステムでは、ケーブル型のコネクタではなく、本体一体型コネクタを用いることが望ましい。
【０００８】
さらに、本体一体型コネクタを採用する場合には、コネクタへのゴミ又は埃などの進入の防止や、コネクタに何らかの物体をぶつけることによるコネクタの損傷の防止、医療機器における電気的安全性の確保のために、コネクタを開閉自在に覆うシャッタを設けることが望ましい。
【０００９】
ところで、本体一体型コネクタを採用した場合には、コネクタの位置合わせをしながら、装置同士をドッキングさせる必要があり、この作業は、ドッキング作業に不慣れなユーザにとっては煩雑であり、時間を要する作業となる。特に、ドッキングさせる部分がドッキングユニットの下面など、ドッキング時にユーザによって見ることができない箇所に配置されている場合には、より多くの時間を費やす可能性が高い。特に、医療用ポータブルモニタシステムの場合には、緊急の状況で用いられる場合も多いので、ドッキングに要する時間は短い方がよい。
【００１０】
本発明は、以上の点を考慮してなされたものであり、コネクタ接続を含むドッキングを迅速かつ容易に行うことができるドッキングシステムを提供する。
【課題を解決するための手段】
【００１１】
本発明のドッキングシステムの一つの態様は、
一面に、コネクタと、このコネクタを覆うシャッタとが、設けられたベースユニットと、
前記ベースユニットにドッキングされ、ドッキング時に前記一面に対向する対向面に、前記ベースユニットの前記コネクタに挿入されるコネクタが設けられたドッキングユニットと、
を有する、ドッキングシステムであって、
前記ベースユニットの前記一面上の、前記シャッタとは異なるエリアに配設された複数の突起と、
前記ドッキングユニットの前記対向面に配設され、前記複数の突起に嵌合する複数の嵌合穴と、
を具備し、
前記複数の突起と前記複数の嵌合穴は、前記シャッタから離れたものほど嵌合しやすい形状とされている。
【発明の効果】
【００１２】
本発明によれば、突起と嵌合穴の位置決めがシャッタから離れたものから順に誘導されるように段階的に行われるようになるので、コネクタ接続を含むドッキングを迅速かつ容易に行うことができるようになる。
【図面の簡単な説明】
【００１３】
【図１】実施の形態に係る医療用ポータブルモニタシステムの全体構成を示す斜視図
【図２】一体とされた医療用ポータブルモニタシステムを前面斜め方向から見た斜視図
【図３】一体とされた医療用ポータブルモニタシステムを背面斜め方向から見た斜視図
【図４】キャリアを下面斜め方向から見た斜視図
【図５】ポータブルディスプレイを背面斜め方向から見た斜視図
【図６】第１及び第２突起がシャッタに到達する前の状態を示す図であり、図６Ａは第１突起を含んで切った部分的断面図、図６Ｂは第２突起を含んで切った部分的断面図
【図７】シャッタの第１突起当接部が第１突起に当接を開始したときの状態を示す図であり、図７Ａは第１突起を含んで切った部分的断面図、図７Ｂは第２突起を含んで切った部分的断面図
【図８】シャッタの第１突起当接部が第１突起の傾斜面に沿って摺動してシャッタを押し広げたときの状態を示す図であり、図８Ａは第１突起を含んで切った部分的断面図、図８Ｂは第２突起を含んで切った部分的断面図
【図９】第２突起がシャッタ本体の開口端部に当接を開始したときの状態を示す図であり、図９Ａは第１突起を含んで切った部分的断面図、図９Ｂは第２突起を含んで切った部分的断面図
【図１０】シャッタがコネクタを接続可能な位置まで押し広げられた状態を示す図であり、図１０Ａは第１突起を含んで切った部分的断面図、図１０Ｂは第２突起を含んで切った部分的断面図
【図１１】ベースユニットのシャッタ及び突起を、ベースユニット前面側から見た略線的側面図
【図１２】キャリア下面を、嵌合穴２６１ａ、２６１ｃを含む面で切った略線的断面図（図１２Ａ）、及び、嵌合穴２６１ｂ、２６１ｄを含む面で切った略線的断面図（図１２Ｂ）
【発明を実施するための形態】
【００１４】
以下、本発明の実施の形態について、図面を参照して詳細に説明する。
【００１５】
＜医療用ポータブルモニタシステムの全体構成＞
図１は、本発明の実施の形態に係る医療用ポータブルモニタシステムの全体構成を示す分解斜視図である。
【００１６】
医療用ポータブルモニタシステム１は、ベースユニット１００と、バッテリ付きキャリア（以下、単にキャリアと呼ぶ）２００と、インプットボックス３００と、ポータブルディスプレイ４００と、から構成される。ベースユニット１００はキャリア２００とドッキング可能とされ、キャリア２００はインプットボックス３００及びポータブルディスプレイ４００とドッキング可能とされている。これにより、医療用ポータブルモニタシステム１は、ベースユニット１００、キャリア２００、インプットボックス３００及びポータブルディスプレイ４００が一体となることが可能である。
【００１７】
図２及び図３に、全てのユニットがドッキングして一体となったときの様子を示す。図２は、一体とされた医療用ポータブルモニタシステム１を前面斜め方向から見た斜視図であり、図３は、一体とされた医療用ポータブルモニタシステム１を背面斜め方向から見た斜視図である。
【００１８】
ベースユニット１００は、ＡＣコンバータなどからなる電源ユニットや、バッテリ及び各種の入出力端子などを有する。また、ベースユニット１００の上面には、コネクタ部１１０及びロック部１３０が設けられている。このコネクタ部１１０及びロック部１３０は、図４に示すような、キャリア２００の下面に設けられた、コネクタ部２４０及びロック部２６０に係合する。因みに、ベースユニット１００のコネクタ部１１０は、コネクタ（図示せず）が開閉自在のシャッタ１１１、１１２によって覆われており、このシャッタ１１１、１１２は、キャリア２００がベースユニット１００にドッキングされる際にキャリア２００の下面に設けられた突起２４１、２４２によって開状態とされるようになっている。
【００１９】
キャリア２００は、バッテリを内蔵する。キャリア２００は、インプットボックス３００及びポータブルディスプレイ４００とドッキングしたときに、インプットボックス３００及びポータブルディスプレイ４００に電源を供給する。キャリア２００とポータブルディスプレイ４００のドッキングは、図５に示すように、ポータブルディスプレイ４００の背面に突設された差込部４１０を、キャリア２００に形成された差込口２１０に、キャリア２００の上方から挿し込むことで行われる。キャリア２００とインプットボックス３００のドッキングは、キャリア２００の側方からインプットボックス３００を差し込み、スライドさせることにより行われる。
【００２０】
キャリア２００には取っ手２０１が設けられており、ユーザは取っ手２０１を握ってキャリア２００を持ち運ぶことができる。通常、ユーザは、キャリア２００にインプットボックス３００をドッキングさせた状態で（場合によってはポータブルディスプレイ４００もドッキングさせて）、患者の移動に合わせてキャリア２００を持ち運び、患者の生体情報をインプットボックス３００に記録する。そして、充電が必要になったときや、据置型として用いる場合などに、キャリア２００をベースユニット１００にドッキングさせる。
【００２１】
インプットボックス３００は、複数の端子３０１を有し、この端子３０１を介して心電電極、血圧測定用カフなどの種々の医療センサに接続可能となっている。また、インプットボックス３００は、記憶部を有し、端子３０１から入力したセンシング結果を基に計測した心電図、血圧、呼吸回数、脈拍などの生体情報を記憶できるようになっている。
【００２２】
本実施の形態では、インプットボックス３００は、キャリア２００とドッキングされるとキャリア２００から電源が供給されるので、患者の移送時などにも患者の生体情報をインプットボックス３００に記憶させることができるようになる。この結果、途切れのない生体情報を記録できる。
【００２３】
ポータブルディスプレイ４００は、表示部４０１がタッチパネル構成となっている。また、ポータブルディスプレイ４００は、上部にインジケータ４０２が設けられ、このインジケータ４０２は患者の生体情報に基づいて患者の容体が危険になった場合などに点灯するようになっている。さらに、図５に示すように、ポータブルディスプレイ４００の背面には取っ手４０３が設けられており、ユーザは取っ手４０３を握ってポータブルディスプレイ４００を持ち運ぶことができる。
【００２４】
＜ベースユニットのシャッタを開閉させる機構＞
図１に示したように、ベースユニット１００の上面にはコネクタ部１１０が設けられている。コネクタ部１００は、コネクタ１１３（例えば図６Ｂ）が開閉自在のシャッタ１１１、１１２によって覆われている。また、図４に示したように、キャリア２００の下面には、コネクタ部２４０が設けられている。コネクタ部２４０は、ベースユニット１００のコネクタ１１３に接続されるコネクタ２４３と、シャッタ１１１、１１２を開閉させるための第１突起２４１及び第２突起２４２とから構成されている。
【００２５】
第１突起２４１は、コネクタ２４３を挟んで配置された２つの山形形状の突起である。第２突起２４２は、コネクタ２４３を挟んで配置された４つの三角形形状の突起である。第１突起２４１は、第２突起２４２よりも高い。
【００２６】
また、第１突起２４１及び第２突起２４２は、いずれも、キャリア２００の最下面つまり載置面２０２よりも上方（つまりキャリア２００の内方側）に引っ込んだ高さとなっている。つまり、キャリア２００を置いたときに、第１及び第２突起２４１、２４２がキャリア２００を載置した面にぶつからないようになっている。このことは換言すると、第１及び第２突起２４１、２４２の高さには制限があることを意味する。
【００２７】
ユーザがベースユニット１００上にキャリア２００を載置すると、ロック部１３０、２６０によってベースユニット１００上にキャリア２００が位置決め及びロックされると共に、コネクタ部１１０、２４０によってシャッタ１１１、１１２が開状態とされ、さらにコネクタ１１３、２４３が接続される。ロック部１３０、２６０による、位置決め及びロックのための構成については、後で詳述する。
【００２８】
図６、図７、図８、図９及び図１０は、第１及び第２突起２４１、２４２の構成、第１及び第２シャッタ１１１、１１２の構成、及びそれらの動作を示す部分的断面図である。図６−図１０は、ベースユニット１００上にキャリア２００を載置させたときの、第１突起２４１によるシャッタ１１１、１１２の開動作（図６Ａ、図７Ａ、図８Ａ、図９Ａ、図１０Ａ）及び第２突起２４２によるシャッタ１１１、１１２の開動作（図６Ｂ、図７Ｂ、図８Ｂ、図９Ｂ、図１０Ｂ）を示すものである。図６Ａ、図７Ａ、図８Ａ、図９Ａ、図１０Ａは、図４及び図１の一点鎖線Ｃ１で示すような、第１突起２４１を含む面で第１突起２４１及びシャッタ１１１、１１２を切った断面図である。また、図６Ｂ、図７Ｂ、図８Ｂ、図９Ｂ、図１０Ｂは、図４及び図１の一点鎖線Ｃ２で示すような、第２突起２４２を含む面で第２突起２４２及びシャッタ１１１、１１２を切った断面図である。
【００２９】
シャッタを構成する第１シャッタ１１１及び第２シャッタ１１２は、それぞれ、回転軸１１１ａ、１１２ａによって図中の矢印で示す開方向及びそれとは逆の閉方向に回転自在に支持されている。また、回転軸１１１ａ、１１２ａには、コイルばねが設けられており、第１シャッタ１１１及び第２シャッタ１１２は、このコイルばねによって矢印とは反対の閉方向に常に付勢されている。因みに、本実施の形態では、第１及び第２シャッタ１１１、１１２は、歯車１１１ｂ、１１２ｂによって連結されており、これにより、互いの開閉動作が連動するようになっている。よって、本実施の形態の場合には、第１シャッタ１１１及び第２シャッタ１１２の両方をばねにより付勢しなくても一方のみを付勢してもよい。
【００３０】
また、シャッタ１１１、１１２の両端の縁部には、キャリア２００のドッキング時に、第１突起２４１が入り込む第１突起当接部２４４が形成されている。第１突起当接部２４４は、上方にいくに従って大きく開いた扇形の形状を有する。これにより、シャッタ１１１、１１２が閉状態であった場合でも、第１突起当接部２４４の先端は開いた状態となっており、第１突起２４１がこの開いた状態の第１突起当接部２４４の面に当接してシャッタ１１１、１１２を押し広げることができる。この第１突起当接部２４４は、シャッタ１１１、１１２が閉状態にある場合でも、少なくとも第１突起２４１が進入できる間隔だけ開いている。
【００３１】
まず、ユーザは、キャリア２００を持って、ベースユニット１００の上方から近づけていく。図６は、第１及び第２突起２４１、２４２がシャッタ１１１、１１２に到達する前の状態を示す。さらに、キャリア２００を下げると、図７に示す状態となる。図７Ａに示すように、シャッタ１１１、１１２の第１突起当接部２４４が第１突起２４１に当接する。このとき第２突起２４２は、図７Ｂに示すように、未だシャッタ１１１、１１２に到達していない。
【００３２】
図７の状態からさらにキャリア２００を下げると、図８の状態となる。図８Ａに示すように、シャッタ１１１、１１２は、第１突起当接部２４４の先端の当接部分が第１突起２４１の傾斜面に沿って摺動することで、第１突起２４１により押し広げられる。このとき第２突起２４２は、図８Ｂに示すように、未だシャッタ１１１、１１２に到達していない。
【００３３】
図８の状態からさらにキャリア２００を下げると、図９の状態となる。図９Ａに示すように、シャッタ１１１、１１２の第１突起当接部２４４の当接部分は、第１突起２４１の斜面を超えた位置まで摺動する。このとき第２突起２４２は、図９Ｂに示すように、シャッタ１１１、１１２の開口端部に当接する。この状態以降、シャッタ１１１、１１２は、第２突起２４２の下降に伴って、第２突起２４２によって押し広げられる。
【００３４】
図９の状態からさらにキャリア２００を下げると、図１０の状態となる。図１０Ｂに示すように、シャッタ１１１、１１２の開口端部は、第２突起２４２の斜面を超えてキャリア２００の底面まで摺動する。このようにして、シャッタ１１１、１１２は、コネクタ接続が可能な状態まで押し広げられる。
【００３５】
図１０の状態からさらにキャリア２００を下げると、ベースユニット１００のコネクタ１１３にキャリア２００のコネクタ２４３が接続される。
【００３６】
ベースユニット１００からキャリア２００を離脱させると、シャッタ１１１、１１２は、図１０、図９、図８、図７、図６の順序で、開状態から閉状態へと遷移する。
【００３７】
＜ベースユニット上にキャリアを位置決め及びロックさせるための機構＞
次に、ベースユニット１００の上面に設けられたロック部１３０の構成、及び、キャリア２００の下面に設けられたロック部２６０の構成について説明する。
【００３８】
図１に示すように、ベースユニット１００のロック部１３０は、複数の突起１３１ａ、１３１ｂ、１３１ｃ、１３１ｄを有する。この複数の突起１３１ａ、１３１ｂ、１３１ｃ、１３１ｄは、ベースユニット１００上において、シャッタ１１１、１１２とは異なるエリアに配設されている。つまり、複数の突起１３１ａ、１３１ｂ、１３１ｃ、１３１ｄは、シャッタ１１１、１１２を囲むように配設されているのではなく、シャッタ１１１、１１２に隣接した領域にまとまって配設されている。
【００３９】
複数の突起１３１ａ、１３１ｂ、１３１ｃ、１３１ｄに囲まれた位置には、凹部１３３が形成されている。凹部１３３には、係合爪１３２ａ、１３２ｂ、１３２ｃ、１３２ｄが設けられている。係合爪１３２ａ、１３２ｂ、１３２ｃ、１３２ｄは、ユーザによるスライドレバー１３４の操作に連動して、出没するようになっている。具体的には、ユーザがスライドレバー１３４を、図中の左方向にスライドさせると、係合爪１３２ａ、１３２ｂ、１３２ｃ、１３２ｄが引っ込むようになっている。
【００４０】
図４に示すように、キャリア２００のロック部２６０には、ベースユニット１００の突起１３１ａ、１３１ｂ、１３１ｃ、１３１ｄが嵌合する複数の嵌合穴２６１ａ、２６１ｂ、２６１ｃ、２６１ｄが形成されている。また、ロック部２６０には、ベースユニット１００の凹部１３３に嵌合する凸部２６３が形成されている。凸部２６３には、係合溝２６２ａ、２６２ｂ、２６２ｃ、２６２ｄが形成されており、凹部１３３に凸部２６３が入り込むと共に、係合溝２６２ａ、２６２ｂ、２６２ｃ、２６２ｄに係合爪１３２ａ、１３２ｂ、１３２ｃ、１３２ｄが係合することで、ベースユニット１００上にキャリア２００がロックされるようになっている。
【００４１】
ここで、図１１に示すように、シャッタ１１１、１１２及び複数の突起１３１ａ、１３１ｂ、１３１ｃ、１３１ｄの高さは、それら全てが同一平面（図中の一点鎖線）に当接する高さとされている。簡単に言えば、シャッタ１１１、１１２及び複数の突起１３１ａ、１３１ｂ、１３１ｃ、１３１ｄの高さは、全て同じとされている。因みに、図１１は、図１におけるベースユニット１００のシャッタ１１１、１１２及び突起１３１ａ、１３１ｂ、１３１ｃ、１３１ｄを、ベースユニット１００の前面側から見た略線的側面図である。なお、図１１では、突起１３１ｂ、１３１ｄは、突起１３１ｂ、１３１ｄに隠れて示されていないが、突起１３１ｂ、１３１ｄも、突起１３１ｂ、１３１ｄ及びシャッタ１１１、１１２と同じ高さである。
【００４２】
これにより、ベースユニット１００上にキャリア２００を位置合わせする際に、凸部２６３の下面が、シャッタ１１１、１１２及び突起１３１ａ、１３１ｂ、１３１ｃ、１３１ｄの頂部に一様に当接するようになるので、ユーザは、キャリア２００をベースユニット１００上で滑らせながら位置合わせを行うことができるようになる。
【００４３】
加えて、図１１に示す、突起１３１ａと突起１３１ｃの間隔ｍ１は、図４の凸部２６３の短辺の長さよりも短くされている。突起１３１ｂと突起１３１ｄの間隔も同様に、凸部２６３の短辺の長さよりも短くされている。また、図１１に示す、突起１３１ａとシャッタ１１１、１１２の頂部との間隔ｍ２は、凸部２６３の短辺の長さよりも短くされている。突起１３１ｂとシャッタ１１１、１１２の頂部との間隔も同様に、凸部２６３の短辺の長さよりも短くされている。さらに、突起１３１ａと突起１３１ｂの間隔や、突起１３１ｃと突起１３１ｄの間隔は、凸部２６３の長辺の長さよりも短くされている。
【００４４】
これにより、凸部２６３が凹部１３３と嵌合する位置から左右又は前後方向にずれている場合に、凸部２６３が、突起１３１ａ、１３１ｂ、１３１ｃ、１３１ｄの間や、突起１３１ａ、１３１ｂとシャッタ１１１、１１２との間に入り込んでしまわずに、突起１３１ａ、１３１ｂ、１３１ｃ、１３１ｄ又はシャッタ１１１、１１２のいずれか２つ以上の頂部によって支えられて、その頂部上を滑ることができるようになる。
【００４５】
このように、シャッタ１１１、１１２及び複数の突起１３１ａ、１３１ｂ、１３１ｃ、１３１ｄの高さを同じ高さとし、かつ、突起１３１ａ、１３１ｂ、１３１ｃ、１３１ｄ及びシャッタ１１１、１１２の間隔を、凸部２６３が凹部１３３からずれている場合に、凸部２６３がそれらの間に入り込まない間隔としたことにより、ユーザは、キャリア２００をベースユニット１００上で平らに滑らせながら位置合わせできるようになる。実際には、図３に示すように、ベースユニット１００の上面とキャリア２００の下面の大きさは、ベースユニット１００の上面の方が大きく、かつ、ポータブルディスプレイ４００をキャリア２００にドッキングさせない状態でベースユニット１００にキャリア２００をドッキングする場合もあるので、ユーザは、ベースユニット１００上のドッキング位置近傍にキャリア２００を載せてから、ベースユニット１００上でキャリア２００を滑らせながらドッキング位置を探ることになる。
【００４６】
さらに、複数の突起１３１ａ、１３１ｂ、１３１ｃ、１３１ｄと複数の嵌合穴２６１ａ、２６１ｂ、２６１ｃ、２６１ｄは、シャッタ１１１、１１２から離れたものほど嵌合しやすい形状とされている。これにより、全ての突起と全ての嵌合穴の位置が最初から完全に一致しなければ位置決めできない構成と比較して、先ずシャッタ１１１、１１２から離れた突起１３１ｃ、１３１ｄと嵌合穴２６１ｃ、２６１ｄが嵌合し始め、それに誘導されながらシャッタ近傍の突起１３１ａ、１３１ｂと嵌合穴２６１ａ、２６１ｂが位置決めされるので、位置決めをより迅速かつより容易に行うことができるようになる。ここで、シャッタ１１１、１１２から離れた位置から位置決めを行うようにしたのは、シャッタ１１１、１１２の方向から位置決めを行なうと、精度が粗い位置決め状態でシャッタ１１１、１１２の開動作が開始されてしまい、最悪の場合、シャッタ１１１、１１２やコネクタ１１３、２４３が損傷するおそれがあるためである。本実施の形態の構成によれば、これを有効に防止できる。
【００４７】
図１２は、図４のキャリア２００下面を、嵌合穴２６１ａ、２６１ｃを含む面で切った略線的断面図（図１２Ａ）、及び、嵌合穴２６１ｂ、２６１ｄを含む面で切った略線的断面図（図１２Ｂ）である。シャッタ１１１、１１２から遠い方の嵌合穴２６１ｃ、２６１ｄには、突起１３１ｃ、１３１ｄを嵌合穴２６１ｃ、２６１ｄに誘うための誘い面２７０が形成されている。これにより、突起１３１ｃ、１３１ｄは、突起１３１ａ、１３１ｂよりも先に嵌合穴２６１ｃ、２６１ｄに嵌合されやすくなる。
【００４８】
因みに、図１２からも分かるように、本実施の形態の場合、シャッタ１１１、１１２から離れたものほど、嵌合穴の入口を、突起の先端部に対して大きく形成することにより、シャッタ１１１、１１２から離れたものほど嵌合しやすい形状を実現している。なお、突起の先端部は、嵌合穴の奥に進入するにしたがって嵌合穴内でのアソビが小さくなる。すなわち、突起が嵌合穴内の奥に進入するほど、位置決め精度が増していく。
【００４９】
以上説明したように、本実施の形態によれば、ベースユニット１００の一面上の、シャッタ１１１、１１２とは異なるエリアに配設された複数の突起１３１ａ、１３１ｂ、１３１ｃ、１３１ｄと、キャリア２００上に複数の突起１３１ａ、１３１ｂ、１３１ｃ、１３１ｄに嵌合する嵌合穴２６１ａ、２６１ｂ、２６１ｃ、２６１ｄと、設け、シャッタ１１１、１１２から近い突起１３１ａ、１３１ｂ及び嵌合穴２６１ａ、２６１ｂよりも、シャッタ１１１、１１２から遠い突起１３１ｃ、１３１ｄ及び嵌合穴２６１ｃ、２６１ｄのほうが嵌合しやすい形状とした。これにより、全ての突起と全ての嵌合穴の位置が最初から完全に一致しなければ位置決めできない構成と比較して、先ずシャッタ１１１、１１２から離れた突起１３１ｃ、１３１ｄと嵌合穴２６１ｃ、２６１ｄが嵌合し始め、それに誘導されながらシャッタ近傍の突起１３１ａ、１３１ｂと嵌合穴２６１ａ、２６１ｂが位置決めされるので、ベースユニット１００上でのキャリア２００のドッキング位置の位置決めをより迅速かつより容易に行うことができるようになる。
【００５０】
また、シャッタ１１１、１１２及び複数の突起１３１ａ、１３１ｂ、１３１ｃ、１３１ｄの高さは、全てが同一平面に当接する高さとしたので、ベースユニット１００上にキャリア２００を位置合わせする際に、凸部２６３の下面が、シャッタ１１１、１１２及び突起１３１ａ、１３１ｂ、１３１ｃ、１３１ｄの頂部に一様に当接するようになるので、ユーザは、キャリア２００をベースユニット１００上で滑らせながら位置合わせできるようになる。
【００５１】
さらに、複数の突起１３１ａ、１３１ｂ、１３１ｃ、１３１ｄの間隔は、凸部２６３が凹部１３３からずれている場合に、凸部２６３が複数の突起１３１ａ、１３１ｂ、１３１ｃ、１３１ｄの間に入り込まない間隔とした。これにより、ユーザは、より簡単に、キャリア２００をベースユニット１００上で滑らせながら位置合わせできるようになる。
【００５２】
なお、上述の実施の形態では、ベースユニット１００にドッキングするドッキングユニットがキャリア２００である場合について述べたが、ドッキングユニットはこれに限らない。さらに、上述の実施の形態では、本発明によるドッキングシステムを医療用ポータブルモニタシステムに適用した場合について述べたが、本発明によるドッキングシステムは、一面に、コネクタと、このコネクタを覆うシャッタとが、設けられたベースユニットと、このベースユニットにドッキングされ、ドッキング時に前記一面に対向する対向面に、ベースユニットのコネクタに挿入されるコネクタが設けられたドッキングユニットと、を有する、ドッキングシステムに、広く適用可能である。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５４】
本発明は、医療用ポータブルモニタシステムにおけるドッキングシステムに適用し得る。
【符号の説明】
【００５５】
１  医療用ポータブルモニタシステム
１００  ベースユニット
１１０  コネクタ部
１１１、１１２  シャッタ
１１３、２４３  コネクタ
１３０  ロック部
１３１ａ、１３１ｂ、１３１ｃ、１３１ｄ  突起
１３２ａ、１３２ｂ、１３２ｃ、１３２ｄ  係合爪
１３３  凹部
１３４  スライドレバー
２００  キャリア
２０１、４０３  取っ手
２１０  差込口
２４０  コネクタ部
２４１  第１突起
２４２  第２突起
２６０  ロック部
２６１ａ、２６１ｂ、２６１ｃ、２６１ｄ  嵌合穴
２６２ａ、２６２ｂ、２６２ｃ、２６２ｄ  係合溝
２６３  凸部
２７０  誘い面
３００  インプットボックス
３０１  端子
４００  ポータブルディスプレイ
４０１  表示部
４０２  インジケータ
【図１】
2014161684.tif 000003
【図２】
2014161684.tif 000004
【図３】
2014161684.tif 000005
【図４】
2014161684.tif 000006
【図５】
2014161684.tif 000007
【図６】
2014161684.tif 000008
【図７】
2014161684.tif 000009
【図８】
2014161684.tif 000010
【図９】
2014161684.tif 000011
【図１０】
2014161684.tif 000012
【図１１】
2014161684.tif 000013
【図１２】
2014161684.tif 000014